(57)【要約】【課題】  付加部材を基体に固定する際に公差を調整するための装置において、非常に簡単な取付けと、良好な公差調整特性を達成すること。【解決手段】  取付公差調整装置は、保持部材（１）と、長手の調整ブッシュ（８）とを備え、前記保持部材（１）は、基体と結合可能であり、前記調整ブッシュ（８）は、付加部材と接続しており、該付加部材に対してスライド可能であり、かつ付加部材と接続可能な接続部材を収容するためのチャネル（１１）を有する。保持部材（１）と調整ブッシュ（８）とは、スライド距離にわたって滑らかな壁部分（６，７）を以て自在にスライド可能に相互に接続されている。調整ブッシュ（８）のチャネル（１１）は、長手方向に対して横の方向に前記接続部材の直径よりも大きな寸法を有する。前記保持部材（１）は、基体との固定領域（２）と調整ブッシュ（８）に対する収容領域との間にある中間区間では少なくとも、柔軟に構成されている。
2008520921.tif 000002
【特許請求の範囲】
【請求項１】
付加部材を基体に固定する際に公差を調整するための装置であって、保持部材（１）と、長手の調整ブッシュ（８）とを備え、
前記保持部材（１）は、基体と結合可能であり、
前記調整ブッシュ（８）は、付加部材と接続しており、該付加部材に対してスライド可能であり、かつ付加部材と接続可能な接続部材を収容するためのチャネル（１１）を有する形式の装置において、
保持部材（１）と調整ブッシュ（８）とは、スライド距離にわたって滑らかな壁部分（６，７）を以て自在にスライド可能に相互に接続されていること、
調整ブッシュ（８）のチャネル（１１）は、長手方向に対して横の方向に前記接続部材の直径よりも大きな寸法を有し、
前記保持部材（１）は、基体との固定領域（２）と調整ブッシュ（８）に対する収容領域との間にある中間区間では少なくとも、柔軟に構成されている、ことを特徴とする装置。
【請求項２】
請求項１記載の装置において、
前記チャネル（１１）は、拡張された横方向に波形の内壁を有する、ことを特徴とする装置。
【請求項３】
請求項１または２記載の装置において、
前記保持部材（１）は、調整ブッシュ（８）を広範に包囲する軸受けスリーブ（４）を有する、ことを特徴とする装置。
【請求項４】
請求項３記載の装置において、
前記調整ブッシュ（８）は一方の端部に、外側に向かって突出する縁部カラー（１０，１５）を有する、ことを特徴とする装置。
【請求項５】
請求項４記載の装置において、
前記調整ブッシュ（８）は他方の端部に、外側に向かって突出する別の縁部カラー（９）を有する、ことを特徴とする装置。
【請求項６】
請求項３または４記載の装置において、
調整ブッシュ（８）には外側に向かって突出する少なくとも１つの係止ノーズ（１６，１７）が形成されており、
該係止ノーズは保持部材（１）に形成された係合構造体と、保持部材（１）と調整ブッシュ（８）との相対運動を少なくとも一方向で制限しつつ、係合することができる、ことを特徴とする装置。
【発明の詳細な説明】
【技術分野】
【０００１】
本発明は、請求項１の上位概念による装置に関する。即ち、本発明は、付加部材を基体に固定する際に公差を調整するための装置であって、保持部材と、長手の調整ブッシュとを備え、前記保持部材は、基体と結合可能であり、前記調整ブッシュは、付加部材と接続しており、該付加部材に対してスライド可能であり、かつ付加部材と接続可能な接続部材を収容するためのチャネルを有する形式の装置に関する。
【０００２】
この種の装置はＤＥ２０１１９１１２Ｕ１から公知である。公知の装置では長手の保持部材が設けられており、この保持部材は、外ねじをもってねじとして構成された接続部材の導入方向で前方の端部区間において基体と接続可能である。保持部材は内ネジを有し、この内ネジは長手の調整ブッシュの外ねじと協働作用する。さらに調整ブッシュは、１つのチャネルに形成された内ネジを同様に有し、この内ネジには接続部材をねじ込むことができる。調整ブッシュを保持部材から、付加部材に当接するまでねじを緩めて引き出すことにより、基体と付加部材との間の変化する間隔に対して公差調整することができる。
【特許文献１】ドイツ実案ＤＥ２０１１９１１２Ｕ１
【発明の開示】
【発明が解決しようとする課題】
【０００３】
しかしこの装置の欠点は、調整ブッシュを保持部材から回転して引き出すのが比較的面倒なことであり、また公差調整は長手方向でしか行われないことである。
【０００４】
本発明の課題は、冒頭に述べた形式の装置を改善し、取り付けが簡単であり、とりわけ優れた公差調整特性を特徴とするように構成することである。
【０００５】
この課題は冒頭に述べた形式の装置において、請求項１の特徴部分の構成によって解決される。即ち、保持部材と調整ブッシュとは、スライド距離にわたって滑らかな壁部分を以て自在にスライド可能に相互に接続されていること、調整ブッシュのチャネルは、長手方向に対して横の方向に前記接続部材の直径よりも大きな寸法を有し、前記保持部材は、基体との固定領域と調整ブッシュに対する収容領域との間にある中間区間では少なくとも、柔軟に構成されている、ことを特徴とする。
【０００６】
調整ブッシュが保持部材内を自由にスライド可能であり、チャネルが横方向に拡張（延在）されており、所定の限界内でフレキシブル（柔軟）な中間区間が設けられていることによって、非常に簡単で迅速な取付けが得られ、さらに公差調整が長手方向の他に横方向および傾斜に対しても得られる。
【０００７】
本発明のさらなる有利な構成は従属請求項の対象である。
【０００８】
図面を参照した、本発明の有利な実施例の以下の説明からさらなる有利な展開形態および利点が明らかとなる。
【０００９】
図１は、本発明の装置の第１実施例を斜視図に示す。図１の実施例はプラスチック材料からなる一体的な保持部材１を有し、この保持部材は固定領域に配置された固定脚２と図１に図示しない基体（本体）とを接続することができる。この接続は固定脚２が基体の切欠部に挿入可能であることにより行われ、挿入された配置構成では、保持部材１の支持皿（ないし載置皿）３が基体に当接する。
【００１０】
さらに保持部材１には長手の軸受けスリーブ４が形成されており、この軸受けスリーブは第１の実施例では実質的に材料選択により比較的にフレキシブルで、とりわけ可撓性の中間区間を介して固定脚２と接続されている。軸受けスリーブ４は外側に、外側補強リブ５の構成体を有する。このリブ構成体は例えば図示の実施例のように長手方向並びに横方向に延在しており、軸受けスリーブ４を補強する。軸受けスリーブ４は、相互に平行に配向された２つの矩形のデッキ部分６と共に壁部分として構成されている。矩形の長辺は長手方向にあり、デッキ部分は縁部側で同様に壁部分を形成する半円形の縁部分７を介して相互に結合されている。デッキ部分６と縁部分７は第１実施例では滑らかで平坦な表面により形成されている。
【００１１】
軸受けスリーブ４には図１の実施例では、保持部材１の材料に対して比較的に堅いプラスチック材料からなる調整ブッシュ８が挿入されており、このとき軸受けスリーブ４の内壁は、調整ブッシュ８の同様に滑らかな外側壁を広範に（大部分）包囲する。調整ブッシュ８は図１の本発明の装置の長手方向に、軸受けスリーブ４よりも大きな寸法を有する。ここで調整ブッシュ８の両端部には外側に突出する縁部カラー（フランジ部）９，１０が形成されている。従って各縁部カラー９，１０は、調整ブッシュ８が長手方向にスライドされる際にストッパを形成する。
【００１２】
調整ブッシュ８は、内側で長手方向に伸長するチャネル１１により構成されている。このチャネルは長手方向に対して横方向に拡張部を有し、この拡張部は、図１に図示しない付加部材を基体と接続するためにチャネル１１に導入可能な接続部材の直径よりも大きい。接続部材は有利にはタップ式ねじ山を備えるねじの形態にある。図示の実施例では、チャネル１１は拡張した横方向に波形の内壁を有する。これにより、例えば引き出し力が比較的に大きなねじ山を備える接続部材は調整ブッシュ８と係合する。
【００１３】
第１実施例による保持部材１と調整ブッシュ８の製造は、２つの異なる、相互に付着しない材料を用いるいわゆる２−コンポーネント法（２Ｋ法）で行われる。
【００１４】
従って本発明による装置では、調整ブッシュ８が軸受けスリーブ４内を長手方向にスライドすること、中間区間が相対的柔軟性を有すること、並びにチャネル１１が横方向に比較的大きく拡張していることによって、調整ブッシュ８の両側に簡単に取り付けることができ、複数の方向で効率的な公差調整が行われる。
【００１５】
図２は、本発明の装置の第２実施例の保持部材１を斜視図に示す。保持部材１の基本形状は実質的に図１の第１実施例の保持部材１の基本形状と一致する。この理由から、図１と図２で相応する構成部材には同じ参照符号が付してあり、第２実施例では詳細に説明しない。
【００１６】
図１の保持部材１とは異なり、図２の保持部材１は縁部側で長手方向に伸長する２つの縁溝１２，１３を有する。これらの縁溝は縁部部分７に形成されており、端面から長手方向で内側に伸長している。さらに固定脚２に対向するデッキ部分６には同様に長手方向に伸長するデッキ溝１４が成形されている。このデッキ溝はデッキ部分６の全長にわたって伸長しており、非対称に配置されている。
【００１７】
図２の第２実施例の保持部材１では、軸受けスリーブ４の固定脚２における接続の幾何形状、例えば材料がテーパー状であることが実質的に、軸受けスリーブ４の固定脚２に対する柔軟性に対して責任を負う。
【００１８】
図３は、本発明の装置の第２実施例の調整ブッシュ８を斜視図に示す。調整ブッシュの基本形状は実質的に図１の第１実施例の調整ブッシュ８の基本形状と一致する。第２実施例では、調整ブッシュ８が軸受けスリーブ４の長さと比較して、第１実施例での調整ブッシュ８よりも短い。さらに第２実施例では、調整ブッシュ８の材料が保持部材１と同じ材料である。
【００１９】
調整ブッシュ８は、ストッパとして用いられるただ１つの縁部カラー（フランジ状部）１５を有し、縁部側には外径の輪郭を越えて突出する係止ノーズ１６，１７を有する。これらの係止ノーズは（それぞれ）弾性の舌片１８，１９を介して結合されている。
【００２０】
さらに調整ブッシュ８は第２実施例では、デッキ側に配置されて張り出した長手の案内レール２０により形成されている。この案内レールは調整ブッシュ８の全長にわたって伸長しており、デッキ溝１４に相応して同様に非対称に配置されている。
【００２１】
つなぎ合わされた配置構成では、係止ノーズ１６，１７が縁溝１２，１３へ挿入され、縁部部分７に形成された凹部でばね変形すると係合する。これにより縁部カラー１５の他に別のストッパが形成される。すなわち調整ブッシュ８の軸受けスリーブ４からの引き出しに対するストッパが形成される。
【図面の簡単な説明】
【００２２】
【図１】図１は、保持部材内に挿入され、２つの縁部カラーにより形成された調整ブッシュを備える本発明の装置の第１実施例の斜視図である。
【図２】図２は、本発明の装置の第２実施例の保持部材の斜視図である。
【図３】図３は、縁部カラーと係止ノーズにより形成された第２実施例の調整ブッシュの斜視図である。
【図１】
2008520921.tif 000003
【図２】
2008520921.tif 000004
【図３】
2008520921.tif 000005
【手続補正書】
【提出日】平成19年8月1日(2007.8.1)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念による装置に関する。即ち、本発明は、付加部材を基体に固定する際に公差を調整するための装置であって、保持部材と、長手の調整ブッシュとを備え、前記保持部材は、基体と結合可能であり、前記調整ブッシュは、付加部材と接続しており、該付加部材に対してスライド可能であり、かつ付加部材と接続可能な接続部材を収容するためのチャネルを有する形式の装置に関する。
【０００２】
この種の装置はＤＥ２０１１９１１２Ｕ１から公知である。公知の装置では長手の保持部材が設けられており、この保持部材は、外ねじをもってねじとして構成された接続部材の導入方向で前方の端部区間において基体と接続可能である。保持部材は内ネジを有し、この内ネジは長手の調整ブッシュの外ねじと協働作用する。さらに調整ブッシュは、１つのチャネルに形成された内ネジを同様に有し、この内ネジには接続部材をねじ込むことができる。調整ブッシュを保持部材から、付加部材に当接するまでねじを緩めて引き出すことにより、基体と付加部材との間の変化する間隔に対して公差調整することができる。
【特許文献１】ドイツ実案ＤＥ２０１１９１１２Ｕ１
【発明の開示】
【発明が解決しようとする課題】
【０００３】
しかしこの装置の欠点は、調整ブッシュを保持部材から回転して引き出すのが比較的面倒なことであり、また公差調整は長手方向でしか行われないことである。
【０００４】
本発明の課題は、冒頭に述べた形式の装置を改善し、取り付けが簡単であり、とりわけ優れた公差調整特性を特徴とするように構成することである。
【０００５】
この課題は冒頭に述べた形式の装置において、請求項１の特徴部分の構成によって解決される。即ち、保持部材と調整ブッシュとは、スライド距離にわたって滑らかな壁部分を以て自在にスライド可能に相互に接続されていること、調整ブッシュのチャネルは、長手方向に対して横の方向に前記接続部材の直径よりも大きな寸法を有し、前記保持部材は、基体との固定領域と調整ブッシュに対する収容領域との間にある中間区間では少なくとも、柔軟に構成されている、ことを特徴とする。（基本構成）
【０００６】
調整ブッシュが保持部材内を自由にスライド可能であり、チャネルが横方向に拡張（延在）されており、所定の限界内でフレキシブル（柔軟）な中間区間が設けられていることによって、非常に簡単で迅速な取付けが得られ、さらに公差調整が長手方向の他に横方向および傾斜に対しても得られる。
【０００７】
本発明のさらなる有利な構成は従属請求項の対象である。即ち、本発明において下記の展開形態が可能である。
前記チャネルは、拡張された横方向に波形の内壁を有することを特徴とする装置。（形態１）
前記保持部材は、調整ブッシュを広範に包囲する軸受けスリーブを有することを特徴とする装置。（形態２）
前記調整ブッシュは一方の端部に、外側に向かって突出する縁部カラーを有することを特徴とする装置。（形態３）
前記調整ブッシュは他方の端部に、外側に向かって突出する別の縁部カラーを有することを特徴とする装置。（形態４）
調整ブッシュには外側に向かって突出する少なくとも１つの係止ノーズが形成されており、該係止ノーズは保持部材に形成された係合構造体と、保持部材と調整ブッシュとの相対運動を少なくとも一方向で制限しつつ、係合することができることを特徴とする装置。（形態５）
なお、特許請求の範囲に付記した図面参照符号は、専ら理解を助けるためのものであり、本発明を図示の態様に限定することを意図するものではない。
【発明の効果】
【０００８】
本発明の上記基本構成に基づき、上記課題が達成される。即ち、本発明により、取り付けが簡単であり、とりわけ優れた公差調整特性を備えた公差調整装置が提供される。さらに各従属請求項により、後述のとおり夫々特有の効果が付加される。
【０００９】
図面を参照した、本発明の有利な実施例の以下の説明からさらなる有利な展開形態および利点が明らかとなる。
【００１０】
図１は、本発明の装置の第１実施例を斜視図に示す。図１の実施例はプラスチック材料からなる一体的な保持部材１を有し、この保持部材は固定領域に配置された固定脚２と図１に図示しない基体（本体）とを接続することができる。この接続は固定脚２が基体の切欠部に挿入可能であることにより行われ、挿入された配置構成では、保持部材１の支持皿（ないし載置皿）３が基体に当接する。
【００１１】
さらに保持部材１には長手の軸受けスリーブ４が形成されており、この軸受けスリーブは第１の実施例では実質的に材料選択により比較的にフレキシブルで、とりわけ可撓性の中間区間を介して固定脚２と接続されている。軸受けスリーブ４は外側に、外側補強リブ５の構成体を有する。このリブ構成体は例えば図示の実施例のように長手方向並びに横方向に延在しており、軸受けスリーブ４を補強する。軸受けスリーブ４は、相互に平行に配向された２つの矩形のデッキ部分６と共に壁部分として構成されている。矩形の長辺は長手方向にあり、デッキ部分は縁部側で同様に壁部分を形成する半円形の縁部分７を介して相互に結合されている。デッキ部分６と縁部分７は第１実施例では滑らかで平坦な表面により形成されている。
【００１２】
軸受けスリーブ４には図１の実施例では、保持部材１の材料に対して比較的に堅いプラスチック材料からなる調整ブッシュ８が挿入されており、このとき軸受けスリーブ４の内壁は、調整ブッシュ８の同様に滑らかな外側壁を広範に（大部分）包囲する。調整ブッシュ８は図１の本発明の装置の長手方向に、軸受けスリーブ４よりも大きな寸法を有する。ここで調整ブッシュ８の両端部には外側に突出する縁部カラー（フランジ部）９，１０が形成されている。従って各縁部カラー９，１０は、調整ブッシュ８が長手方向にスライドされる際にストッパを形成する。
【００１３】
調整ブッシュ８は、内側で長手方向に伸長するチャネル１１により構成されている。このチャネルは長手方向に対して横方向に拡張部を有し、この拡張部は、図１に図示しない付加部材を基体と接続するためにチャネル１１に導入可能な接続部材の直径よりも大きい。接続部材は有利にはタップ式ねじ山を備えるねじの形態にある。図示の実施例では、チャネル１１は拡張した横方向に波形の内壁を有する。これにより、例えば引き出し力が比較的に大きなねじ山を備える接続部材は調整ブッシュ８と係合する。
【００１４】
第１実施例による保持部材１と調整ブッシュ８の製造は、２つの異なる、相互に付着しない材料を用いるいわゆる２−コンポーネント法（２Ｋ法）で行われる。
【００１５】
従って本発明による装置では、調整ブッシュ８が軸受けスリーブ４内を長手方向にスライドすること、中間区間が相対的柔軟性を有すること、並びにチャネル１１が横方向に比較的大きく拡張していることによって、調整ブッシュ８の両側に簡単に取り付けることができ、複数の方向で効率的な公差調整が行われる。
【００１６】
図２は、本発明の装置の第２実施例の保持部材１を斜視図に示す。保持部材１の基本形状は実質的に図１の第１実施例の保持部材１の基本形状と一致する。この理由から、図１と図２で相応する構成部材には同じ参照符号が付してあり、第２実施例では詳細に説明しない。
【００１７】
図１の保持部材１とは異なり、図２の保持部材１は縁部側で長手方向に伸長する２つの縁溝１２，１３を有する。これらの縁溝は縁部部分７に形成されており、端面から長手方向で内側に伸長している。さらに固定脚２に対向するデッキ部分６には同様に長手方向に伸長するデッキ溝１４が成形されている。このデッキ溝はデッキ部分６の全長にわたって伸長しており、非対称に配置されている。
【００１８】
図２の第２実施例の保持部材１では、軸受けスリーブ４の固定脚２における接続の幾何形状、例えば材料がテーパー状であることが実質的に、軸受けスリーブ４の固定脚２に対する柔軟性に対して責任を負う。
【００１９】
図３は、本発明の装置の第２実施例の調整ブッシュ８を斜視図に示す。調整ブッシュの基本形状は実質的に図１の第１実施例の調整ブッシュ８の基本形状と一致する。第２実施例では、調整ブッシュ８が軸受けスリーブ４の長さと比較して、第１実施例での調整ブッシュ８よりも短い。さらに第２実施例では、調整ブッシュ８の材料が保持部材１と同じ材料である。
【００２０】
調整ブッシュ８は、ストッパとして用いられるただ１つの縁部カラー（フランジ状部）１５を有し、縁部側には外径の輪郭を越えて突出する係止ノーズ１６，１７を有する。これらの係止ノーズは（それぞれ）弾性の舌片１８，１９を介して結合されている。
【００２１】
さらに調整ブッシュ８は第２実施例では、デッキ側に配置されて張り出した長手の案内レール２０により形成されている。この案内レールは調整ブッシュ８の全長にわたって伸長しており、デッキ溝１４に相応して同様に非対称に配置されている。
【００２２】
つなぎ合わされた配置構成では、係止ノーズ１６，１７が縁溝１２，１３へ挿入され、縁部部分７に形成された凹部でばね変形すると係合する。これにより縁部カラー１５の他に別のストッパが形成される。すなわち調整ブッシュ８の軸受けスリーブ４からの引き出しに対するストッパが形成される。
【図面の簡単な説明】
【００２３】
【図１】図１は、保持部材内に挿入され、２つの縁部カラーにより形成された調整ブッシュを備える本発明の装置の第１実施例の斜視図である。
【図２】図２は、本発明の装置の第２実施例の保持部材の斜視図である。
【図３】図３は、縁部カラーと係止ノーズにより形成された第２実施例の調整ブッシュの斜視図である。
【国際調査報告】
2008520921.tif 000006
2008520921.tif 000007
2008520921.tif 000008
2008520921.tif 000009